(57)【要約】      （修正有）【課題】補助フレームを主フレームに対して確実かつ取り外し可能に固定させることのできる装置の提供。【解決手段】一対の主スペクタクルに一対の補助レンズ１０を着脱可能なアセンブリであって、アセンブリは、補助レンズ１０を保持する補助フレーム８上に設けられた対応する突起１５，１６を受けるための凹部又は開口を各々有する一対の突起１５，１６を、主スペクタクルフレームに備えている。この構造によると、補助フレーム８上の各突起１５，１６は主スペクタクルフレーム上の対応する突起に形成された凹部に確実に嵌め込まれる。【選択図】図６
2005308915.tif 000002
【特許請求の範囲】
【請求項１】
一対の主スペクタクルに一対の補助レンズを着脱可能なアセンブリにおいて、アセンブリは一対の主スペクタクルを含み、該一対の主スペクタクルは、補助スペクタクルフレームが取り付けられたとき、前記補助スペクタクルフレーム内の前記補助レンズが前記一対の主スペクタクル内の主レンズに部分的又は完全に重なるように前記補助スペクタクルフレームを取り外し可能に保持するものであり、
前記一対の主スペクタクルは、
前記主レンズを夫々保持するとともに主ブリッジによって互いに隔てられた複数の主フレーム開口を有する、主フレームと、
着用者の耳に掛ける自由端を夫々有するアーム部材が軸回転可能に連結される、主延長部材と、
凹部を夫々有する第１及び第２の主突起とを含み、
前記補助スペクタクルフレームは、
前記補助レンズを夫々保持するとともに補助ブリッジによって互いに隔てられた複数の補助フレーム開口を有する、補助フレームと、
前記補助フレームから延びる第１及び第２の補助突起とを含み、
前記補助スペクタクルフレーム上の前記第１及び第２の補助突起と前記主フレーム上の前記第１及び第２の主突起に夫々形成された前記凹部との機械的な嵌合により、前記補助スペクタクルフレームは前記一対の主スペクタクルに取り外し可能に固定されることを特徴とするアセンブリ。
【請求項２】
前記主フレーム上に設けられた前記主突起の中の少なくとも一方は、前記補助フレーム上に設けられた前記補助突起をスナップ式に嵌め込めるようにするリングスプリング又はクリップが保持される略環状の開口を有することを特徴とする請求項１に記載のアセンブリ。
【請求項３】
前記複数の主突起は略同一のものであり、円錐状の補助突起を軸方向から受けるに適した寸法の凹部を各々備え、前記凹部は、前記補助突起が前記凹部に嵌め込まれたときに前記補助突起のテーパ面と係合するスプリングクリップを有し、これにより、前記補助突起が前記主突起に挿入されると、前記テーパ面が瞬間的に前記スプリングクリップを移動させることによって前記補助突起が前記凹部内にぴったりと嵌り、すぐに、撓められた前記スプリングクリップは元の位置に戻り、よって、前記補助突起と前記主突起とを嵌め合わせて固定することを特徴とする請求項１に記載のアセンブリ。
【請求項４】
前記主突起の中の少なくとも一方は前記主フレームのアームに設けられることを特徴とする請求項２に記載のアセンブリ。
【請求項５】
前記主突起の中の少なくとも一方は前記主フレームの主延長部材に設けられることを特徴とする請求項２に記載のアセンブリ。
【請求項６】
各突起をスナップ式に嵌め合わせることを特徴とする請求項１に記載のアセンブリ。
【請求項７】
前記凹部は前記主スペクタクル側に設けられ、いかなる形状であってもよいことを特徴とする請求項１に記載のアセンブリ。
【請求項８】
前記凹部は前記補助スペクタクル側に設けられ、いかなる形状であってもよいことを特徴とする請求項１に記載のアセンブリ。
【請求項９】
一対の主スペクタクルに一対の補助レンズを着脱可能なアセンブリであって、
アセンブリは、前記一対の補助レンズを保持する補助フレームに設けられた対応する補助突起を夫々受ける凹部又は開口を各々有する一対の突起を主スペクタクルフレームに備え、前記補助フレームの各補助突起は前記主スペクタクルフレームの対応する主突起に形成された前記凹部又は開口に嵌め込まれることを特徴とするアセンブリ。
【請求項１０】
前記主フレーム上に設けられた前記主突起の中の少なくとも一方は、前記補助フレームに設けられた補助突起をスナップ式に嵌め込めるようにするリングスプリング又はクリップが保持される略環状の開口を有することを特徴とする請求項９に記載のアセンブリ。
【請求項１１】
前記複数の主突起は略同一のものであり、円錐状の補助突起を軸方向から受けるに適した寸法の凹部を各々備え、前記凹部は、前記補助突起が前記凹部に嵌め込まれたときに前記補助突起のテーパ面と係合するスプリングクリップを有し、これにより、前記補助突起が前記主突起に挿入されると、前記テーパ面が瞬間的に前記スプリングクリップを移動させることによって前記補助突起が前記凹部内にぴったりと嵌り、すぐに、撓められた前記スプリングクリップは元の位置に戻り、よって、前記補助突起と前記主突起とを嵌め合わせて固定することを特徴とする請求項９に記載のアセンブリ。
【請求項１２】
前記主突起の中の少なくとも一方は前記主フレームのアームに設けられることを特徴とする請求項１０に記載のアセンブリ。
【請求項１３】
前記主突起の中の少なくとも一方は前記主フレームの主延長部材に設けられることを特徴とする請求項１０に記載のアセンブリ。
【請求項１４】
各突起をスナップ式に嵌め合わせることを特徴とする請求項９に記載のアセンブリ。
【請求項１５】
前記凹部又は開口は前記主スペクタクル側に設けられ、いかなる形状であってもよいことを特徴とする請求項９に記載のアセンブリ。
【請求項１６】
前記凹部又は開口は前記補助スペクタクル側に設けられ、いかなる形状であってもよいことを特徴とする請求項９に記載のアセンブリ。
【請求項１７】
一対の主スペクタクルに一対の補助レンズを着脱可能なアセンブリであって、
アセンブリは、一対の主スペクタクルに装着される一対の補助レンズを含み、主スペクタクルフレームに設けられた対応する主突起に形成された少なくとも一つの凹部と嵌合される複数の補助突起を持つ補助レンズフレームを含み、それにより、前記補助レンズと前記主スペクタクルとを取り外し可能に連結させることを特徴とするアセンブリ。  
【請求項１８】
前記主フレーム上に設けられた前記主突起の中の少なくとも一つは、前記補助フレーム上に設けられた補助突起をスナップ式に嵌め込めるようにするリングスプリング又はクリップが保持される略環状の開口を有することを特徴とする請求項１７に記載のアセンブリ。
【請求項１９】
前記複数の主突起は略同一のものであり、円錐状の補助突起を軸方向から受けるに適した寸法の凹部を各々備え、前記凹部は、前記補助突起が前記凹部に嵌め込まれたときに前記補助突起のテーパ面と係合するスプリングクリップを有し、これにより、前記補助突起が前記主突起に挿入されると、前記テーパ面が瞬間的に前記スプリングクリップを移動させることによって前記補助突起が前記凹部内にぴったりと嵌り、すぐに、撓められた前記スプリングクリップは元の位置に戻り、よって、前記補助突起と前記主突起とを嵌め合わせて固定することを特徴とする請求項１７に記載のアセンブリ。
【請求項２０】
前記主突起の中の少なくとも一つは前記主フレームのアームに設けられることを特徴とする請求項１８に記載のアセンブリ。
【請求項２１】
前記主突起の中の少なくとも一つは前記主フレームの主延長部材に設けられることを特徴とする請求項１８に記載のアセンブリ。
【請求項２２】
各突起をスナップ式に嵌め合わせることを特徴とする請求項１７に記載のアセンブリ。
【請求項２３】
前記凹部は前記主スペクタクル側に設けられ、いかなる形状であってもよいことを特徴とする請求項１７に記載のアセンブリ。
【請求項２４】
前記凹部は前記補助スペクタクル側に設けられ、いかなる形状であってもよいことを特徴とする請求項１７に記載のアセンブリ。
【請求項２５】
一対の主スペクタクルに一対の補助レンズを着脱可能なアセンブリであって、
アセンブリは一対の主スペクタクルを含み、当該一対の主スペクタクルは、補助スペクタクルフレームに設けられた対応する補助突起に形成された凹部と嵌合させる複数の主突起を有する主レンズフレームを含み、これにより、前記補助レンズと前記主スペクタクルとを取り外し可能に連結させることを特徴とするアセンブリ。
【請求項２６】
前記主フレーム上に設けられた前記主突起の中の少なくとも一つは、前記補助フレーム上に設けられた補助突起をスナップ式に嵌め込めるようにするリングスプリング又はクリップが保持される略環状の開口を有することを特徴とする請求項２５に記載のアセンブリ。
【請求項２７】
前記複数の主突起は略同一のものであり、円錐状の補助突起を軸方向から受けるに適した寸法の凹部を各々備え、前記凹部は、前記補助突起が前記凹部に嵌め込まれたときに前記補助突起のテーパ面と係合するスプリングクリップを有し、これにより、前記補助突起が前記主突起に挿入されると、前記テーパ面が瞬間的に前記スプリングクリップを移動させることによって前記補助突起が前記凹部内にぴったりと嵌り、すぐに、撓められた前記スプリングクリップは元の位置に戻り、よって、前記補助突起と前記主突起とを嵌め合わせて固定することを特徴とする請求項２５に記載のアセンブリ。
【請求項２８】
前記主突起の中の少なくとも一つは前記主フレームのアームに設けられることを特徴とする請求項２６に記載のアセンブリ。
【請求項２９】
前記主突起の中の少なくとも一つは前記主フレームの主延長部材に設けられることを特徴とする請求項２６に記載のアセンブリ。
【請求項３０】
各突起をスナップ式に嵌め合わせることを特徴とする請求項２５に記載のアセンブリ。
【請求項３１】
前記凹部は前記主スペクタクル側に設けられ、いかなる形状であってもよいことを特徴とする請求項２５に記載のアセンブリ。
【請求項３２】
前記凹部は前記補助スペクタクル側に設けられ、いかなる形状であってもよいことを特徴とする請求項２５に記載のアセンブリ。
【請求項３３】
一対の主スペクタクルに一対の補助レンズを着脱可能なアセンブリであって、
アセンブリは、前記一対の補助レンズを保持する補助フレームに設けられた一対の補助突起を備え、各補助突起は、主フレーム上に設けられた対応する主突起を夫々受ける凹部又は開口を有し、前記主フレーム上に設けられた各主突起は、前記補助フレーム上に設けられた対応する補助突起に形成された前記凹部又は開口に嵌め込まれることを特徴とするアセンブリ。
【発明の詳細な説明】
【技術分野】
【０００１】
本発明は眼鏡に関するものであり、特に、眼鏡に第２のレンズつまり補助レンズを取り付けるための改良された構造に関する。より詳細に述べると、本発明は、主レンズ及び補助レンズに、互いに協働し、嵌合する突起を設け、主レンズ及び補助レンズを機械的に取り外し可能に連結できるようにした構造に関する。
【背景技術】
【０００２】
眼鏡着用者は、日除け及び紫外線から目を保護するために、眼鏡に第２のレンズを取り付けることをしばしば所望する。これにより、サングラスを別個に所持する必要がなくなり、また、着用者は処方レンズにより視力を得ながら、サングラスの効果をも得ることができる。既に、補助レンズを主レンズに取り外し可能に固定させて主レンズを即座にサングラスに転用するため、補助レンズに種々のクリップを設けたものが存在する。補助レンズの取付手段としては従来から様々な形態がある。その一例として、主スペクタクルのブリッジに掛けるクリップを用いたものがある。
【０００３】
一対の主スペクタクルに一対の補助レンズを取り外し可能に装着するための別の構造が特許文献１に記載されている。該特許は、脚部を回転式に連結するための延長部分を各々有する側部と突起が各々固定されている２つの背面部とを含む主レンズ支持用スペクタクルフレーム支持体を備えた眼鏡を開示している。また、主スペクタクルフレームは、上部と、突起内に固定された一対の第１磁性部材とを含んでいる。この眼鏡はさらに、補助レンズが磁性部材によって主スペクタクルフレームに保持されるように、主スペクタクルフレームの上部の上に伸びて該上部と係合するアームを各々有する２つの側部を含む補助レンズ支持用補助スペクタクルフレームを備えている。
【特許文献１】オーストラリア特許第６８４４２３号公報
【特許文献２】米国特許第５４１６５３７号公報
【特許文献３】米国特許第５５６８２０７号公報
【発明の開示】
【発明が解決しようとする課題】
【０００４】
上述のクリップ構造及び磁気による取付は補助レンズを主フレームに固定する機能は有するものの、多くの問題点がある。クリップ構造は、重くて扱い難く、外観が美しくない上に、補助レンズを主スペクタクルフレームに取り付けるときに主レンズを傷つける恐れがある。特許文献１に記載される磁気構造は、Ｓａｄｌｅｒ氏による特許文献２及びＲｉｃｈａｒｄ  Ｃｈａｏ氏による特許文献３にも開示されている。磁気構造が抱える問題の一つは、時間が経過すると磁気が衰え、取付効果が大幅に減少する点である。磁気がフレーム製造当時の最も強い状態にあっても、特にユーザがジョギング、跳躍、テニス等のスポーツに従事している場合、補助フレームにかかる動的負荷に磁力が耐えきれない恐れがある。ユーザが激しい運動に従事している最中に、補助スペクタクルフレームが主スペクタクルフレームから外れ、補助スペクタクルフレームが損傷し、ユーザに不都合を生じる可能性がある。
【０００５】
また、主フレームに設けられた突起内の磁気面は錆び易く、磁気効果が衰える恐れがある。さらなる問題点として、磁気面は、磁石の表面上である範囲の移動を許容するものであるため、補助フレームが主スペクタクルフレームに取り付けられている状態で、補助フレームが主フレームに対して移動する可能性がある。これにより、補助フレームと主スペクタクルとの間のギャップが拡がって日光が主スペクタクルフレームのレンズを透過するという不都合が生じ、全体として、補助レンズを主スペクタクルレンズに取り付ける効果が減少する。
【０００６】
本発明は、補助スペクタクルと主スペクタクルフレームとの間を結合するための別の手段を提供することにより、上述の問題点を解決するものである。
【０００７】
本発明は、主スペクタクルフレームに対して補助レンズを確実かつ取り外し可能に固定させることのできる装置を提供することを目的とする。また、本発明は、補助フレームが主スペクタクルフレームから不用意に外れることがないように確実に嵌め合わせる構造を提供することを目的とする。
【課題を解決するための手段】
【０００８】
本発明によると、脚部を回転式に連結するための延長部を各々有する２つの側部、各々突起が設けられた２つの背面部、上部、及び各突起内に固定され、各々円形のスプリングワイヤが内部に埋め込まれた一対のリングを含む主レンズ支持用主スペクタクルフレームと、主スペクタクルフレームの上部の上に伸びて該上部と係合するアームを各々有する２つの側部、及び各アームに設けられ、補助スペクタクルフレームを主スペクタクルフレームに固定するために主スペクタクルフレームのリングと夫々嵌合する一対の固定突起を含む補助レンズ支持用補助スペクタクルフレームとを備えた眼鏡が提供される。
【０００９】
一実施形態によると、補助スペクタクルフレームと主スペクタクルフレームとを互いに嵌め合わせるアセンブリは、主フレームの各レンズの端部近傍に設けられ、スプリングワイヤを受ける環状の凹部を各々有する環状の突起を備え、該スプリングワイヤは、補助レンズ上に設けられた各突起が主スペクタクルフレーム上に設けられた対応する突起の凹部に差し込まれると、両者を固定させる働きをする。スプリングワイヤは、補助レンズの突起が主スペクタクルフレームの突起に形成された凹部に差し込まれたとき、瞬間的に移動するため、確実な固定が可能になる。これにより、主レンズと補助レンズとがスナップ式に嵌め合わされ、不用意に外れるのを防ぐことができる。
【００１０】
本発明は、基本的な形態において、一対の主スペクタクルを備え、該一対の主スペクタクルは、補助スペクタクルフレームが取り付けられたとき、補助スペクタクルフレーム内の補助レンズが一対の主スペクタクル内の主レンズに部分的又は完全に重なるように補助スペクタクルフレームを取り外し可能に保持するものであり、一対の主スペクタクルは、主レンズを夫々保持するとともに主ブリッジによって互いに隔てられた複数の主フレーム開口を有する、主フレームと、着用者の耳に掛ける自由端を夫々有するアーム部材が軸回転可能に連結される、主延長部材と、凹部を夫々有する第１及び第２の主突起とを含み、補助スペクタクルフレームは、補助レンズを夫々保持するとともに補助ブリッジによって互いに隔てられた複数の補助フレーム開口を有する、補助フレームと、補助フレームから延びる第１及び第２の補助突起とを含み、補助スペクタクルフレーム上の第１及び第２の補助突起と主フレームから延びる第１及び第２の主突起に夫々形成された凹部との機械的な嵌合により、補助スペクタクルフレームは一対の主スペクタクルに取り外し可能に固定されることを特徴とする。
【００１１】
一実施形態においては、主フレーム上の主突起はアーム部材に設けられ、補助フレーム上の補助突起とスナップ式に嵌め合わせるためのリングスプリング又はクリップが保持された略環状の開口を各々有している。
【００１２】
本発明は、別の基本的な形態において、主スペクタクルフレームに一対の補助レンズを着脱可能なアセンブリであって、該アセンブリは、補助レンズのフレームに設けられた対応する突起を夫々受ける凹部又は開口を各々有する一対の突起を主スペクタクルフレームに備え、補助フレームの各突起が主スペクタクルフレームの対応する突起に形成された凹部又は開口に嵌め込まれるようにしたことを特徴とする。
【００１３】
本発明は、別の基本的な形態において、主スペクタクルフレームに設けられた対応する突起に形成された凹部と嵌合させる複数の突起を有するレンズフレームを含む一対のスペクタクルに装着される一対の補助レンズを備え、これにより、補助レンズと主スペクタクルとを取り外し可能に連結させるようにしたことを特徴とする。
【００１４】
本発明は、別の基本的な形態において、補助スペクタクルフレームに設けられた対応する突起に形成された凹部と嵌合させる複数の突起を有する主レンズフレームを含む一対の主スペクタクルを備え、これにより、補助レンズと主スペクタクルとを取り外し可能に連結させることを特徴とする。
【００１５】
一実施形態において、各突起はスナップ式に嵌め合わせるのが好ましい。別の実施形態においては、凹部又は開口は主スペクタクル側に設けられ、所望の形状に形成される。
【発明を実施するための最良の形態】
【００１６】
以下、実施形態を挙げて本発明を具体的に説明する。
【００１７】
図１を参照して、主レンズ４を保持するとともにブリッジ３を有する主スペクタクルフレーム２を含む、一対のスペクタクル１が示されている。
【００１８】
図２は、補助レンズ１０を保持するとともに補助ブリッジ９を有する補助フレーム８を備えた、一対の補助スペクタクル７を示している。補助フレームはさらに、補助突起１３，１４を含む補助延長部１１，１２を備えている。
【００１９】
図３は、図１に示される主スペクタクル１の平面図であり、図１と同一の構成要素には同一の符号が付されている。主スペクタクル１は、凹部１９，２０を各々有する主突起１５，１６をさらに備えている。主突起１５，１６は環状に形成されるのが好ましく、主スペクタクル１のアーム１７，１８に設けられる。補助スペクタクル７の補助突起１３，１４と主スペクタクル１の主突起１５，１６とを嵌合させることにより、補助スペクタクル７と主スペクタクル１とが連結される。主突起１５，１６の凹部１９，２０に、補助突起１３，１４が各々挿入され、好ましくはスナップ式に嵌め込まれる。
【００２０】
図４は、図２の補助フレームを示し、補助フレーム８に対する補助突起１３，１４の好ましい配置を表している。図５及び図６は夫々、図１及び図２に夫々示されるスペクタクル１及び７を互いに連結させたときの正面図及び平面図である。図６において、図１及び図２と同一の構成要素には同一の符号が付されている。
【００２１】
図７を参照して、図２に示される補助突起１３を拡大したものが示されている。図２に示される補助突起１３，１４は同一のものであることが好ましく、該突起の詳細を突起１３を参照して説明する。補助突起１３は、補助延長部１１から下方に延びるものであり、好ましくは円錐状に形成される。
【００２２】
図８は主突起１５の典型例を示し、該突起は主延長部５又はアーム１７に設けられるのが好ましい。主突起１５，１６は同一のものであることが好ましく、ここでは片方の主突起１５について説明する。突起１５は、円錐状の補助突起１３を軸方向から受けるに適した寸法の凹部１９を有している。凹部１９には、補助突起１３が凹部１９に嵌め込まれたときに突起１３のテーパ面２１と係合するスプリングクリップ２０が設けられている。補助突起１３を主突起１５に挿入すると、テーパ面２１が瞬間的にスプリングクリップ２０を移動させる働きをし、これにより、補助突起１３は凹部１９内にぴったりと嵌る。するとすぐに、スプリングクリップ２０は撓んだ状態から元の位置に戻り、よって、補助突起１３と主突起１５とを確実に嵌め合わせて固定する。
【００２３】
上記のような取付構造を用いれば、補助スペクタクルフレームは主フレームに着実に固定され、従来の磁気構造で起こっていたような、急な運動や取付機構の衰えによる離脱が起こり難くなる。スプリングクリップ２０の撓みを可能にするため、凹部１９にはスプリングクリップ２０が撓んで入り込む空間を確保する環状の開口２２が設けられる。これは、スプリングクリップ２０のハウジングとしても機能する。
【００２４】
別の実施形態において、各突起は上記実施形態のものと異なる形状にしてもよく、機械的な雄雌又は雌雄嵌合があればよい。従って、補助スペクタクルフレームに、雄突起ではなく凹部を有する雌突起を設けてもよい。同様に、主スペクタクルフレームに、雌ではなく雄の突起を設けてもよい。
【００２５】
本発明は、その趣旨及び範囲を逸脱することがなければ、種々の変更及び修正が可能である。例えば、突起の位置及び形状は変更してもよい。但し、一般的には、補助スペクタクルフレーム及び主スペクタクルフレームのどちらも、フレームの外側の端部領域内に突起を設けることが好ましい。
【図面の簡単な説明】
【００２６】
【図１】主スペクタクルフレームの正面図。
【図２】補助スペクタクルフレームの正面図。
【図３】図１の主フレームの平面図。
【図４】図２の補助フレームの平面図。
【図５】図１及び図２の各フレームが互いに連結されている状態の正面図。
【図６】図５に示される状態の平面図。
【図７】補助フレーム上に設けられる一般的な突起を約５倍に拡大した図。
【図８】主スペクタクルフレーム上に設けられる一般的な突起を約５倍に拡大した図。
【符号の説明】
【００２７】
１    主スペクタクル
２    主スペクタクルフレーム
３    ブリッジ
４    主レンズ
５    主延長部
６    主延長部
７    補助スペクタクル
８    補助フレーム
９    補助ブリッジ
１０  補助レンズ
１１  補助延長部
１２  補助延長部
１３  補助突起
１４  補助突起
１５  主突起
１６  主突起
１７  アーム
１８  アーム
１９  凹部
２０  凹部
２１  テーパ面
２２  開口
【図１】
2005308915.tif 000003
【図２】
2005308915.tif 000004
【図３】
2005308915.tif 000005
【図４】
2005308915.tif 000006
【図５】
2005308915.tif 000007
【図６】
2005308915.tif 000008
【図７】
2005308915.tif 000009
【図８】
2005308915.tif 000010